(57)【要約】複製された記録媒体が読出し不可能でありながら、コピー機を用いてコピーすることができる記録媒体およびこのような記録媒体の製造方法である。コピー機を用いて複製している間に、結合ビットは、第１のタイプであるタイプ“１”の連続的なチャネルビットが第２のタイプであるタイプ“０”の最小でもＩａで最大でもＩｂの連続的なビットにより分割されて、その逆の場合も分割されるようにして、選択される。少なくともチャネルビットの隣接するブロックの数を超える、オリジナル記録媒体は、結合ビットの特定のブロックに提供され、これに対して、１つのタイプの連続的なチャネルビットは、Ｉｃ＜ＩａでＩｄ＜Ｉｂである他のタイプのＩｃまたはＩｄの連続的ビットにより分割される。
2004513469.tif 000002
【特許請求の範囲】
【請求項１】
コピー機を用いて情報が記録媒体に複製されるが、この複製された記録媒体は読出し不能であり、オリジナル記録媒体には２値化ビットデータのシリーズが提供され、これらのシリーズは２値化チャネルビットのシリーズへと予め符号化され、これらのデータビットのシリーズはそれぞれがｍ個のデータビットの連続的なブロック（５）に分割されており、これらのブロック（５）は（ｎ１＋ｎ２）チャネルビットの連続的なブロック（２）に符号化されており［（ｎ１＋ｎ２）＞ｍ］、これらチャネルビット（２）のブロックのそれぞれはｎ１情報ビットのブロック（３）とｎ２結合（ｍｅｒｇｅ）ビットのブロック（４）とを備え、情報ビットの連続的なブロック（３）は結合ビットの１つのブロックによりそれぞれの場合へと分割され、これに対して、コピー機を用いて複製されている間に、結合ビットは、第１のタイプであるタイプ「１」が最小でもＩａで最大でもＩｂの連続的かつ間断のないチャネルビットの第２のタイプであるタイプ「０」により分割され、その逆の場合も同様に分割されるようにして、選択される記録媒体の製造方法において、
チャネルビット（２）に隣接するブロックの数を少なくとも超えるオリジナル記録媒体が、結合ビット（４）の特定のブロックに提供され、１つのタイプの連続するチャネルが、Ｉｃ＜ＩａおよびＩｄ＞Ｉｂとなる、最大でもＩｃまたは最小でもＩｄの他のタイプの連続ビットにより分割され、その結果としてコピー機を用いて複製された記録媒体における、差分に比例した、チャネルビットのブロック数を超えて現れた、１つのタイプのチャネルビットの数と他のタイプのチャネルビットの数との間の、デジタル合計の変化は許容されないほど大きくなることを特徴とする記録媒体の製造方法。
【請求項２】
結合ビットの特定のブロックに少なくとも隣接した、前記オリジナル記録媒体は、情報ビットの特定のブロックと共に提供され、その結果として前記コピー機により複製された記録媒体内での前記デジタル合計の変化は許容されない程度に比較的高速で増加することを特徴とする請求項１に記載の方法。
【請求項３】
Ｉｃが２であることを特徴とする請求項１または２に記載の方法。
【請求項４】
Ｉｄが１２，１３または１４の何れかであることを特徴とする請求項１または２に記載の方法。
【請求項５】
請求項１ないし請求項５の何れかに記載の方法により製造された記録媒体。
【発明の詳細な説明】
【０００１】
この発明は記録媒体を製造する方法に係り、コピー機を用いて情報が記録媒体に複製されるが複製された記録媒体は読出し不能であり、オリジナル記録媒体には一連の２値化チャネルビットへと既に符号化された２値化データビットのシリーズが提供されて、これらのデータビットのシリーズはそれぞれがｍ個のデータビットの連続的なブロックに分割され、これらのブロックは（ｎ１＋ｎ２）チャネルビットの連続的なブロックに符号化されており［（ｎ１＋ｎ２）＞ｍ］、これらチャネルビットのブロックのそれぞれはｎ１情報ビットのブロックとｎ２結合（ｍｅｒｇｅ）ビットとを備え、情報ビットの連続的なブロックは結合ビットの１つのブロックによりそれぞれのケースに分割され、これに対して、コピー機を用いて複製されている間に、結合ビットは、第１のタイプであるタイプ「１」が、第２のタイプであるタイプ「０」の最小でもＩａで最大でもＩｂの連続的なチャネルビットにより分割され、その逆の場合も同様に分割されるように選択される記録媒体の製造方法に関する。
【０００２】
この発明はさらに、このような方法を用いて製造された記録媒体に関する。
【０００３】
この特許出願における記録媒体は、例えばＣＤ（Ｃｏｍｐａｃｔ Ｄｉｓｃ―コンパクトディスク―）のような記録媒体を特に含むものとして理解される。
【０００４】
消費者にとって有用なコピー機を用いて、完全に複製可能であり、また、単一時間のみ複製可能であり、完全には複製不可能であるような記録媒体を製造するためには、種々の公知の方法がある。オリジナル記録媒体において、消費者にとって有用なコピー機により複製されている間に、複製されない符号（コード）が格納されていても良く、その結果、このコピー機を用いて製造された複製後の記録媒体は充分に機能することができない。これは、このような複製後の記録媒体は聴取することができなかったり、および／または、その記録媒体に格納されたソフトウェアを起動することができなかったり、または、所望の状態で機能しなかったりするということを意味している。
【０００５】
それ自体が公知の方法でのオリジナル記録媒体における個々の制御位置においては、透かし（ｗａｔｅｒｍａｒｋｓ）またはキー（ｋｅｙ―カギ・手掛かり―）としても引用される制御効果が提供される。記録媒体の使用において、その媒体に格納されたソフトウェアが起動される前に、このような透かしの存在についてまずチェックされる。しかしながら、このことは、そのソフトウェアが起動されるまでに、オリジナル記録媒体の合法的な持ち主が比較的長い時間を待たなくてはならないことを意味している。
【０００６】
消費者にとって有用なコピー機を用いて複製している間、透かしは複製されない。複製された記録媒体から読み出そうとして、その媒体が透かしを含んでおらず、その結果、複製された記録媒体が起動されないであろうことは比較的直ぐに明らかとなる。
【０００７】
この発明の目的は、その媒体から製造された複製については読出し不能であるのに対して、オリジナル記録媒体自身は簡単に読出し可能である媒体を製造する方法を提供することにある。
【０００８】
この目的は、チャネルビットの隣接ブロックの数を少なくとも超える、オリジナル記録媒体に、結合ビットの特定のブロックが提供され、１つのタイプの連続的なチャネルは、最大でもＩｃまたは最小でもＩｄで「Ｉｃ＜Ｉａ」および「Ｉｄ＞Ｉｂ」である、他のタイプの連続するビットにより分割され、その結果としてコピー機を用いて複製された記録媒体における、差分に比例し、チャネルビットのブロック数を超えて現れ、１つのタイプのチャネルビットの数と他のタイプのチャネルビットの数との間での、デジタル合計の変化が許容されないほど大きくなることを特徴とする本発明による記録媒体の製造方法により達成される。
【０００９】
オリジナル記録媒体は如何なる問題もなく比較的高速での読出しを可能にするであろうが、起動しようと試みる際に、記録媒体が読み出すことができないことが明らかになるまでに、比較的多くの時間が経過するであろう。
【００１０】
ＣＤの製造において、ある種類のチャネルビットの連続する最小の数が３であり、ある種類のチャネルビットの連続する最大の数が１１（Ｉｂ＝１１）であることは、国際的にも既に統一されていることである。コピー機による複製の間にオリジナル記録媒体の情報ビットのブロックが読み出されて、コピー機内では結合ビットのブロックが生成され、チャネルビットの連続するブロックが２つの要求に合致することは原理的に保証するべきである。第１の要求は、個別のタイプの連続するチャネルビットの数が最小でも３であり最大でも１１であるという要求である。第２の要求は、チャネルビットのブロック数を超えると、１つのタイプのチャネルビット数と他のタイプのチャネルビット数との間の差分が比較的制限されたままであるという要求である。後者の要求はまた、デジタル合計の変化とも呼ばれている。これは、１つのタイプのビットと他のタイプのビットとの間で（継続された）適正な識別を可能にするために重要である。
【００１１】
この発明に係る方法は、記録媒体を製造する際に、記録媒体の少なくとも一部分を超えて、連続するチャネルビットの最小数および最大数に関して、国際的に確定された法則から熟考した上での制御偏差を含んでいる。結合ビットの適切な選択を通じて、逸脱した連続チャネルビット数の存在にも拘わらず、デジタル合計の変化の依然として比較的制限された障害が得られることをここで保証することが可能になる。
【００１２】
もしもこのような記録媒体が最新のコピー機により複製されたならば、逸脱した連続チャネルビット数が得られるような結合ビットのシリーズを生成することは不可能である。コピー機内の結合ビットは、連続するチャネルビットｉの数が関係Ｉａ≦ｉ≦Ｉｂに合致するように選択されているので、同一の時間でデジタル合計の変化を比較的制限するように保証することは実質的に不可能であろう。しかしながら、オリジナル記録媒体を複製している間に、デジタル合計の変化は目立たなくなり、複製された記録媒体を読出し不可能へと導くであろう。
【００１３】
この発明による方法の実施態様は、オリジナルの記録媒体は、結合ビットの特定のブロックに少なくとも隣接して、情報ビットの特定のブロックに提供され、その結果として、コピー機を用いてコピーされた記録媒体内で、デジタル合計の変化が許容されない程度に比較的高速で大きくなる。
【００１４】
情報ビットのブロックの助けを借りて、国際的に同意された標準にこのように合致し、一連の情報ビットの連続するブロックを実現することができ、比較的高速で比較的大きなデジタル合計の変化を結果させることができる。この方法の助けにより製造されたオリジナルの記録媒体において、結合ビットの上述した特定のブロックの使用を通じて、このデジタル合計の変化が比較的大きくなることを許容しないようにすることは可能である。しかしながら、もしもこのような情報ビットのブロックが従来のコピー機を用いてコピーされるのならば、連続するチャネルビットｉの数はＩａ≦ｉ≦Ｉｂを満たすような要求に合致する結合ビットのブロックにそれらを付加するであろう。もしもこの要求が合致されるならば、デジタル結合の変化は許容されない程度に比較的高速で大きなくなることが見出される。
【００１５】
このように、オリジナル記録媒体上の比較的短いビット部分を超えて、結合ビットの特定のブロックを使用することが可能であり、その結果、コピーされた記録媒体においては、複製部分が含まれることが明らかとなったことに基づいて、障害が発生するであろう。
【００１６】
この方法を用いて製造された記録媒体は複製可能であり、デジタル合計の変化が許容できない程度に大きくなることを防止するという唯一のやり方は、ビット毎に記録媒体を複製することである。しかしながら、このような装置は、現在のところ消費者にとって有用なコピー機よりも相当に高価なものである。さらに、ビット毎に行なう複製は、読出しと書込みとの両方で、比較的容易にエラーを発生させるという不利な点を有しており、その理由は、このような手順において、従来のコピー機に搭載されている全ての種類の制御メカニズムが最早適用されないからである。
【００１７】
【発明の実施の形態】
この発明は、添付図面にしたがってさらに明らかとされるであろう。
図面において、対応する構成部分は同一の参照符号により示されている。
図１は、チャネルビット２の連続するブロックのシリーズ１を示しており、ビット２はそれぞれｎ１情報ビットのブロック３と、ｎ２結合ビットのブロック４とを備えている。
【００１８】
ここに示した実施例においては、開始点は、例えばＣＤのような光学式記録媒体のｎ１＝１４およびｎ２＝３である。これらの数字は、既に国際的に選択され固定されているので、それぞれｍ＝８のデータビットの連続するブロックへと予め分割されたデータビットのシリーズは、結合ビット４の仲介的なブロックを伴って、それぞれがｎ１＝１４ビットを有する情報ビット３のブロックへと変換されるが、チャネルビット２の連続的なブロックを伴って、１つのタイプ１または０の連続的なチャネルビットの数は、最小でもＩａ＝３で最大でもＩｂ＝１１の第２のタイプの連続的で間断のないビットへと分割されて、この逆も成立する。ｍ＝８データビットからｎ１＝１４の情報ビットのブロック３への変換は、ＥＦＭ（Ｅｉｇｈｔ ｔｏ Ｆｏｕｒｔｅｅｎ Ｍｄｕｌａｔｉｏｎ―８から１４への変換―）と呼ばれている。さらに、このようにｎ１＝１４でｎ２＝３と選択された値を用いて、デジタル合計の変化は比較的制限されたままにすることは可能なように思われている。
【００１９】
上記のように示されたＩａ＝３およびＩｂ＝１１の値は、従来の方法により製造されたＣＤにも適用する。この発明による記録媒体においては、記録媒体の少なくとも一部分を超えて、結合ビットの特定のブロック４が提供され、さらに、これに伴い、連続的なチャネルビットの数は、１つのタイプの連続的なチャネルビットの数は、Ｉｃ＜Ｉａ＝３でＩｄ＞Ｉｂ＝１１である他のタイプの最大Ｉｃまたは最小Ｉｄの連続的なビットにより分割されている。
【００２０】
ｎ２＝３である結合ビットの各ブロックのためには、以下のようなシリーズからの選択が可能である：
０００
００１
０１０
０１１
１００
１０１
１１０
１１１
結合ビットのブロックは、チャネルビットの連続的なブロック２、例えば１００から５００個のブロック２を超えて、ｉ＝Ｉｃ＜Ｉａまたはｉ＝Ｉｄ＞Ｉｂの要求に加えて、デジタル結合の変化が比較的制限されたままにさせておくように選択される。
【００２１】
比較的制限されたデジタル合計の変化を原因として、図１の矢印Ｐ１を用いて示されるように、もしもこのような記録媒体が間もなく読み出されるならば、読出しは如何なる問題も提供しないであろうし、情報ビットのブロック３がそれぞれがｍ＝８データビットを有するデータビットのブロック５へと従来のように変換することができる。もしもそれ自体が公知であるコピー機を用いてデータビットのブロック５が、図１の矢印Ｐ２を用いて表現されている書込可能な記録媒体上に間もなく書き込まれるならば、そのとき、コピー機では、データビットのブロック５が公知のＥＦＭ技術によりそれぞれがｎ１＝１４ビットを有する情報ビットの連続的なブロック３へと変換される。さらに、コピー機を用いて、結合ビットのブロック６が生成される。これらの結合ビットのブロック６は、１つのタイプの連続的チャネルビットの数ｉが、最小でもＩａ＝３で最大でもＩｂ＝１１の連続的ビットにより分割されるという要求に合致させる役目をまさに果たしている。情報ビットのブロック３およびこのようにして読み出されたデータビットのブロック５が従来の要求に合致しているので、コピー機を用いて、このような結合ビットのブロック６を生成することが可能となるであろう。
【００２２】
しかしながら、図１の矢印Ｐ３を用いて表現されているように、もしもチャネルビットのブロック８の複製されたシリーズ７が間もなく読み出されるならば、そのとき、結合ビットのブロック６の変形されたブロックを有する複製された記録媒体での読出しの間に、デジタル合計の変化は、記録媒体を読出し不可能なものにさせながら、比較的高速度を増している。
【００２３】
この効果は、情報ビットのブロック３を選択することにより一層向上させることができ、これはまた、オリジナル記録媒体におけるデジタル合計の変化の障害を導いている。しかしながら、オリジナル記録媒体においては、結合ビットの特定のブロック４を通じて、許容される制限の範囲内でデジタル合計の変化を維持することが可能である。複製された記録媒体においては、結合ビットのブロック６の強制的な選択の結果として、比較的高速で許容されない程度に増加したデジタル合計の変化が発生するので、複製された記録媒体は比較的高速で読出し不能となる。
【００２４】
図２は、ｎ２＝３を有する結合ビットのブロック４により互いに分割される符号（コード）＄３５および＄ＣＥにより指定された２つの連続的データシンボルに所属するＥＦＭ信号を示している。連続的なデータシンボルは４回分表現されており、結合ビットの異なるブロック４により結合された各場合における２つずつのシンボルである。図２に示された信号Ｓ１において、結合ビットのブロック４はブロック“１１１”により形成され、これにより、１つのタイプの多数の連続的なチャネルビットＩが他のタイプの最小でＩａ＝３で最大でＩｂ＝１１の連続的なビットにより分割されるというルールを満足させている。
【００２５】
２つの信号＄３５および＄ＣＤ後のデジタル結合の変化ＤＳＶは、５により増加されている。
【００２６】
第２の信号Ｓ２においては、結合ビットのブロック４はシンボル“０１１”により形成されているので、前記ＤＳＶの値は３だけ増加する。
【００２７】
第３の信号Ｓ３においては、結合ビットのブロック４はブロック“００１”により形成され、これによりＤＳＶの値は１だけ増加する。信号Ｓ２およびＳ３においては、同様に、ルールＩ３−Ｉ１１（Ｉａ＝３；Ｉｂ＝１１）が満たされている。
【００２８】
信号Ｓ４は同様に、連続的なデータシンボル＄３５および＄ＣＥにより形成される。しかしながら、シンボル＄ＣＥは、極性を反対にして表現されている。２つのシンボルは、“０００”より構成される結合ビットのブロック４により結合されている。その結果、＄３５シンボルの最後のビット、＄ＣＥの結合ビットおよび開始ビットが同一の極性を有し、同一のタイプの１３の連続的なチャネルビットのシリーズを構成する。信号Ｓ４においては、ルールＩ３−Ｉ１４（Ｉａ＝３でＩｄ最大＝１４）が用いられる。この信号Ｓ４により、ＤＳＶの値は１７だけ減少する。このようにして、タイプ０の所望のＤＳＶ値の方向で、比較的高速で比較的高いＤＳＶの値を修正することが可能となる。Ｉ１２、Ｉ１３またはＩ１４を部分的に許容することにより、信号の制御動作が相当改善可能であることが明らかとなるであろう。
【００２９】
図２と同様に、図３は結合ビットのブロック４により分割される２つのデータシンボルを示している。ここに含まれるデータシンボルは、＄ＢＣおよび＄９４である。Ｉ３−Ｉ１１（Ｉａ＝３でＩｂ＝１１）のルールを満たす信号Ｓ５においては、結合ビットのブロック４はブロック“１１１”を単独でかつ排他的に構成することができる。これは、＄ＢＣ信号のチャネルビットの最後の連続的なシリーズが極性１の単一ビットから構成されており、これに対し、＄９４のシンボルのチャネルビットの最初の連続するシリーズもまた同時に極性１の単一のビットより構成されている。結合ビットのブロック４において、ブロック“１１１”以外のブロックがもしも選択されたならば、このことは直ちに、１または２ビットのみを有する連続的なチャネルビットの少なくとも１つのブロックを導くことになったであろう。信号Ｓ５はＩ３−Ｉ１１のルールを満たさなければならないので、それ故にこれは許容されない。連続的データシンボル＄ＢＣおよび＄９４の効果は、ＤＳＶの値が１１だけ増加することである。もしもこれらのシンボルが互いに何回も背後に配置されるならば、これはＤＳＶの値の相当に望ましくない増加を導くことになるであろう。
【００３０】
信号Ｓ６においては、逆の極性に指示された＄９４シンボルを伴ってふたたびデータシンボル＄ＢＣおよび＄９４が表現される。シンボル＄ＢＣおよび＄９４は、ビット“１００”を備える結合ビットのブロック４により分割される。このことは、＄ＢＣシンボルと結合ビットのブロック４との間の遷移に隣接して、極性１の２つの連続的なチャネルビットを伴うシリーズが発生することを意味している。信号Ｓ６はＩ２〜Ｉ１１（Ｉｃ＝２でＩｂ＝１１）のルールを満たしているので、このことはそれ自身で許容される。データシンボル＄９４の極性を逆にすることにより、この２つの連続的なデータシンボル＄ＢＣおよび＄９４は、丁度３のＤＳＶ値の増加を引き起こしている。これは、信号Ｓ５の場合よりも相当に低い増加である。さらに、信号Ｓ６の最初および最後のビットは、反対の極性を有している。これは、もしも信号Ｓ６が再び信号Ｓ６により追随されるがこの時には逆極性であるならば、この信号Ｓ６におけるＤＳＶ値は３だけ減少するであろう。これは、信号Ｓ６の偶数がこのようにリンクした後、ＤＳＶ値は０になるであろう。
【００３１】
図２および図３から明らかなように、Ｉａ＝３よりも小さく、Ｉｂ＝１１よりも大きい多数の連続的なチャネルビットを許容することにより、ＤＳＶ値のより効果的な制御を得ることができる。
【００３２】
図４〜図６は、情報ビット３の連続的なブロックの同一のシリーズを伴ってそれぞれ提供された記録媒体のチャネルビット２の読出しブロックの数をＸ軸にとり、Ｙ軸にはデジタル合計の変化のためのＤＳＶ値をとった異なるグラフを示している。
【００３３】
図４は、Ｉ３−Ｉ１１（Ｉａ＝３でＩｂ＝１１）のルールに合致するように満たされた結合ビットのブロック４を伴う、情報ビット３の連続的なブロックの個別のシリーズを有する記録媒体のグラフを示している。明らかに視認可能なように、ＤＳＶ値は凡そ９５０番目のシンボルが−１６，０００に近い値にまでなった後に、激しく低下する。このような値は記録媒体を読出し不能にさせる。
【００３４】
許容可能でもある関係である１２，１３または１４のＩｄの値を伴い、もしも情報ビットの連続するブロックの同一のシリーズがこの発明に係る方法を用いて記録媒体上に間もなく提供されるのならば、図５に示されるグラフが得られる。ここで、さらに、緩やかに−１６００まで減少する１５００番目のシンボルの周辺のＤＳＶ値と共に、ＤＳＶ値の緩やかな減少を見ることができる。図５におけるＹ軸に沿った縮尺が図４におけるそれよりも因数で１０も小さいことは注目される。このようなＤＳＶ値は、原理的には、一時的に許容される。
【００３５】
図６はこの発明による方法を用いて製造された他の記録媒体のグラフを示しており、Ｉｃ＝２およびＩｄ＝１２の値はまた、既に許容されている。この記録媒体もまた、図４および図５で用いられた記録媒体のように、情報ビット３の連続的なブロックの同一のシリーズを伴って提供されている。図６に示されたグラフは、例えばＩｃ＝２でＩｄ＝１２の連続的なチャネルビットの逸脱したブロックを許容することにより、ＤＳＶ値が−１５と＋１５の間で変化することを示している。ＤＳＶ値のこのような小さな変化は読出し可能性上の非常に積極的な効果を有している。
【００３６】
グラフから、以下のことを同様に導き出すことができる。この発明による方法を用いて製造された記録媒体が、図５および図６に示されるようなグラフであるならば、情報ビット３のブロックはデータビット８のブロックへと変換される。もしもコピー機を用いてこのような記録媒体が間もなく複製されたならば、コピー機におけるデータビット８のブロックは情報ビット３のブロックへと変換される。さらに、結合ビット６のブロックは情報ビット３の連続的なブロックの間に提供されるが、しかしながら、それが求められるように、ルールＩ３−Ｉ１１（Ｉａ＝３＜ｉでＩｂ＝１１）に合致される。もしもこの発明による方法を用いて製造された記録媒体のこうして製造された複製物が間もなく読み出されたならば、図４に示されるグラフが得られる。既に上述したところで示したように、ＤＳＶ値は−１６，０００近傍の値まで比較的高速で低下するであろうし、記録媒体がもはや読出し不可能であるデジタル合計の変化のこのような大きな障害を引き起こすことになる。
【００３７】
この発明による方法はまた、多数のデータビットｍ、多数の情報ビットｎ１、多数の結合ビットｎ２、および／または、多数の従来から許容された連続的なチャネルビットｉ（Ｉａ≦ｉ≦Ｉｂ）のための他の値を伴った他の種類の記録媒体にもまた適用可能である。
【図面の簡単な説明】
【図１】
チャネルビットの連続する多数のブロックを概略的に示す説明図である。
【図２】
Ｉ３−Ｉ１１およびＩ３−Ｉ１４ルール適用時の連続的データシンボル＄３５および＄ＣＥにより提携されたＥＦＭ信号を概略的に示す説明図である。
【図３】
Ｉ２−Ｉ１１およびＩ３−Ｉ１４ルール適用時の連続的データシンボル＄９４および＄ＣＥにより提携されたＥＦＭ信号を概略的に示す説明図である。
【図４】
この発明の方法を用いて製造された記録媒体からコピーされた記録媒体におけるチャネルビットの多数の読出しブロックに対して、デジタル合計の変化の曲線が点で描写されたグラフである。
【図５】
この発明に係る方法を用いて製造された記録媒体におけるチャネルビットの多数の読出しブロックに対して、デジタル合計の変化の経路が点で描写されたグラフである。
【図６】
この発明に係る方法を用いて製造された記録媒体におけるチャネルビットの多数の読出しブロックに対して、デジタル合計の変化の経路が点で描写されたグラフである。
【国際公開パンフレット】
2004513469.tif 000003
2004513469.tif 000004
2004513469.tif 000005
2004513469.tif 000006
2004513469.tif 000007
2004513469.tif 000008
2004513469.tif 000009
2004513469.tif 000010
2004513469.tif 000011
2004513469.tif 000012
2004513469.tif 000013
2004513469.tif 000014
2004513469.tif 000015
2004513469.tif 000016
2004513469.tif 000017
2004513469.tif 000018
2004513469.tif 000019
2004513469.tif 000020
2004513469.tif 000021
2004513469.tif 000022
【国際調査報告】
2004513469.tif 000023
2004513469.tif 000024